(57)【要約】【課題】踏み付け時の不快な突き上げ感を減らし、突き上げの繰り返しによる足の疲労を軽減するスポーツシューズを提供する。【解決手段】本発明にかかるスポーツシューズは、ミッドソールと、該ミッドソールの土踏まずに対応した土踏まず対応部の外面側に設けられた土踏まず補強部材と、を有するスポーツシューズであって、前記土踏まず補強部材が、該土踏まず補強部材の一部の部位と前記ミッドソールとの間に空隙を備えるように、前記ミッドソールに固定されている。【選択図】図１
2012170743.tif 000002
【特許請求の範囲】
【請求項１】
ミッドソールと、該ミッドソールの土踏まずに対応した土踏まず対応部の外面側に設けられた土踏まず補強部材と、を有するスポーツシューズであって、
前記土踏まず補強部材が、該土踏まず補強部材の一部の部位と前記ミッドソールとの間に空隙を備えるように、前記ミッドソールに固定されていることを特徴とするスポーツシューズ。
【請求項２】
請求項１に記載のスポーツシューズにおいて、
前記土踏まず補強部材は、リブであり、
該リブの高さは、該リブの幅よりも大きいことを特徴とするスポーツシューズ。
【請求項３】
請求項１又は請求項２に記載のスポーツシューズにおいて、
前記土踏まず補強部材は、リブとして、第一リブと該第一リブと交わるように設けられた第二リブとを備えることを特徴とするスポーツシューズ。
【請求項４】
請求項３に記載のスポーツシューズにおいて、
前記土踏まず補強部材から前記ミッドソールまでの前記空隙の距離は、前記第一リブと前記第二リブとが交わる交わり部において最大となっていることを特徴とするスポーツシューズ。
【発明の詳細な説明】
【技術分野】
【０００１】
本発明は、スポーツシューズに関する。
【背景技術】
【０００２】
ミッドソールと、該ミッドソールの土踏まずに対応した土踏まず対応部に設けられた補強部材と、を有するスポーツシューズが知られている（たとえば、特許文献１）。
【先行技術文献】
【特許文献】
【０００３】
【特許文献１】特開２００８−１８１６７号公報
【発明の概要】
【発明が解決しようとする課題】
【０００４】
このようなスポーツシューズでは、補強部材の全面がミッドソールの土踏まず対応部に貼着されており、捩じれ変形や曲げ変形に対する強度は高いものであった。  
しかし、かかるスポーツシューズで地面を踏み付けたときに、突き上げ力が土踏まずに常に加えられることとなり、これが不快感となっていた。  
また、このような土踏まずに対する突き上げの繰り返しは、足に筋肉疲労を生じさせる原因となっていた。
【０００５】
本発明は、このような事情に鑑みてなされたものであり、その目的とするところは、踏み付け時の不快な突き上げ感を減らし、突き上げの繰り返しによる足の疲労を軽減するスポーツシューズを提供することにある。
【課題を解決するための手段】
【０００６】
上記目的を達成するための主たる発明は、
ミッドソールと、該ミッドソールの土踏まずに対応した土踏まず対応部の外面側に設けられた土踏まず補強部材と、を有するスポーツシューズであって、
前記土踏まず補強部材が、該土踏まず補強部材の一部の部位と前記ミッドソールとの間に空隙を備えるように、前記ミッドソールに固定されていることを特徴とするスポーツシューズである。  
本発明の他の特徴については、本明細書及び添付図面の記載により明らかにする。
【図面の簡単な説明】
【０００７】
【図１】ランニングシューズ１の靴底を示す底面図である。
【図２】着用時のランニングシューズ１の横断面図である。図２Ａは、変形前の土踏まずの状態を示す横断面図である。図２Ｂは、変形後の土踏まずの状態を示す横断面図である。
【図３】交わり部１２ｘにおける空隙Ｓの距離を説明する図である。
【発明を実施するための形態】
【０００８】
本明細書及び添付図面の記載により、少なくとも、以下の事項が明らかとなる。
【０００９】
即ち、ミッドソールと、該ミッドソールの土踏まずに対応した土踏まず対応部の外面側に設けられた土踏まず補強部材と、を有するスポーツシューズであって、
前記土踏まず補強部材が、該土踏まず補強部材の一部の部位と前記ミッドソールとの間に空隙を備えるように、前記ミッドソールに固定されていることを特徴とするスポーツシューズである。  
このようなスポーツシューズによれば、土踏まず補強部材とミッドソールとの間に空隙を設けることで、踏み付け時の不快な突き上げ感を減らし、突き上げの繰り返しによる足の疲労を軽減することができる。
【００１０】
また、かかるスポーツシューズであって、
前記土踏まず補強部材は、リブであり、
該リブの高さは、該リブの幅よりも大きいこととしてもよい。  
このようなスポーツシューズによれば、捩じれ変形や曲げ変形に対する強度を高めることができる。
【００１１】
また、かかるスポーツシューズであって、
前記土踏まず補強部材は、リブとして、第一リブと該第一リブと交わるように設けられた第二リブとを備えることとしてもよい。  
このようなスポーツシューズによれば、第一リブと第二リブが交わるようにすることで、捩じれ変形や曲げ変形に対して高い強度を維持しつつも、土踏まず補強部材の構造を簡素化することができ、軽量化を図ることが可能となる。
【００１２】
さらに、かかるスポーツシューズであって、
前記土踏まず補強部材から前記ミッドソールまでの前記空隙の距離は、前記第一リブと前記第二リブとが交わる交わり部において最大となっていることとしてもよい。  
このようなスポーツシューズによれば、ミッドソールが最も大きく変形する位置に合わせて交わり部を設けるようにしたため、ミッドソールにかかる荷重を強固に支持することが可能となる。
【００１３】
以下の実施形態では、スポーツシューズの一例としてランニングシューズ１を例に挙げて説明する。
【００１４】
＝＝＝実施の形態＝＝＝
＜＜＜ランニングシューズ１の構成について＞＞＞
本発明の一実施形態であるランニングシューズ１の構成例について、図１乃至図３を用いて説明する。図１は、ランニングシューズ１の靴底を示す底面図である。図２は、着用時のランニングシューズ１の横断面図（図１のＡ−Ａ線にて示す靴幅方向の横断面図）である。なお、図２Ａは、変形前の土踏まずの状態を示しており、図２Ｂは、変形後の土踏まずの状態を示している。図３は、交わり部１２ｘにおける空隙Ｓの距離を説明する図である。なお、図３は、図１のＡ−Ａ線にて示す靴幅方向の横断面図を破線で示し、図１のＢ−Ｂ線にて示す靴幅方向の横断面図を実線で示し、それらを重ねた状態で示した図である。
【００１５】
ランニングシューズ１は、図１に示すように、地面に接する底面に設けられたアウターソール１０と、アウターソール１０の上面に張り合わされたミッドソール１１と、ミッドソール１１の上面に繋ぎ合わされ、シューズ本体に相当するアッパー部材（不図示）と、を有している。また、このランニングシューズ１は、インソール１３を内部に有している（図２参照）。
【００１６】
アウターソール１０は、グリップ力を確保するためのものであり、ゴム、ウレタン等の軟質な合成樹脂素材からなる。
【００１７】
ミッドソール１１は、発泡ポリウレタンやＥＶＡ等の衝撃吸収性に優れた軟質弾性素材からなり、シューズ着用時の土踏まずに対応する部位に土踏まず対応部１１ａを有している。
【００１８】
土踏まず対応部１１ａは、その底面部１１Ｌが上方に凹まされて前後方向に沿ってアーチ状に湾曲形成され、かつ、その内側面部１１Ｕが上方に向けて立ち上がるように形成されている。
【００１９】
図２に示すように、底面部１１Ｌ及び内側面部１１Ｕは、連続して繋がるように湾曲して土踏まず対応部１１ａの外面を形成している。
【００２０】
そして、この土踏まず対応部１１ａの外面側には、土踏まず補強部材１２が設けられている。
【００２１】
土踏まず補強部材１２は、土踏まず対応部１１ａの外面に対向するようにＬ字状に形成されており、土踏まず対応部１１ａの捩じれ変形や曲げ変形に対する強度を高めるものである。
【００２２】
そして、この土踏まず補強部材１２は、図２に示すように、該土踏まず補強部材１２の一部の部位と土踏まず対応部１１ａとの間に空隙Ｓを備えるように、ミッドソール１１に固定されている。
【００２３】
このように、土踏まず補強部材１２と土踏まず対応部１１ａとの間に空隙Ｓを設けることにより、踏み付け時の不快な突き上げ感を減らし、突き上げの繰り返しによる足の疲労を軽減することができる。
【００２４】
なお、この空隙Ｓは、疲労による土踏まずの変形に起因して消滅する場合がある。この土踏まずの変形と空隙Ｓの関係については、追って詳述する。
【００２５】
また、本実施形態における土踏まず補強部材１２は、ＡＢＳ樹脂等を含む合成樹脂素材等からなり、図１に示すように、リブ構造により構成されている。
【００２６】
そして、図２に示すように、リブの高さＨは、リブの幅Ｗよりも大きくなるように形成されている。
【００２７】
このため、リブの高さがリブの幅よりも小さい場合に比べ、高さ方向から加わる力に対する剛性を上げることができるため、捩じれ変形や曲げ変形により負荷がかかった場合にもリブの強度を高めることが可能となる。
【００２８】
また、この土踏まず補強部材１２は、リブとして、第一リブ１２ａと第二リブ１２ｂとが交わり部１２ｘにおいて交わるように設けられている。
【００２９】
本実施形態においては、図１に示すように、第一リブ１２ａと第二リブ１２ｂとを交わり部１２ｘでクロスさせ、Ｘ字状になるように構成している。そして、土踏まず補強部材１２は、土踏まず対応部１１ａの底面部１１Ｌ及び内側面部１１Ｕそれぞれに対向する部位に、第一リブ１２ａの一部と第二リブ１２ｂの一部とを辺に含む多角形（例えば三角形）のリブ構造を形成している。
【００３０】
このように、第一リブ１２ａと第二リブ１２ｂが交わるようにリブ構造を形成することで、捩じれ変形や前後方向及び幅方向の曲げ変形に対して高い強度を維持することができる。また、複数のリブを組み合わせて骨組みを形成し、土踏まず補強部材１２の構造を簡素化することで、軽量化を図ることができる。
【００３１】
また、土踏まず補強部材１２から土踏まず対応部１１ａまでの空隙Ｓの距離は、図２に示すように、第一リブ１２ａと第二リブ１２ｂとが交わる交わり部１２ｘにおいて最大となっている。
【００３２】
これは、図３に示すように、土踏まず対応部１１ａの部位のうちで最も変位が大きい部位に対向させて、土踏まず補強部材１２の交わり部１２ｘを配置したためである。
【００３３】
この交わり部１２ｘは、図３に示すように、第一リブ１２ａ及び第二リブ１２ｂよりも大きいリブ幅で形成されているため、第一リブ１２ａ及び第二リブ１２ｂの両方で二重に支えることと同じ効果が得られる。
【００３４】
このように、交わり部１２ｘは、高い剛性を有するため、土踏まず対応部１１ａが大きく変位することによって大きな衝撃が加えられたとしても、破損することなく耐えることができる。
【００３５】
以上のとおり、土踏まず補強部材１２は、土踏まず対応部１１ａが最も大きく変形する部位に合わせて交わり部１２ｘを設けることで、土踏まず対応部１１ａにかかる荷重を強固に支持することが可能となる。
【００３６】
＜＜＜土踏まずの変形と空隙Ｓ及び土踏まず補強部材１２の働きについて＞＞＞
一般的に、土踏まずはアーチ状に形成されているため、このアーチ形状がバネのように作用することで足への衝撃が緩和される。
【００３７】
しかし、ランニングを長時間継続すると、筋肉疲労によってアーチ形状が崩れ、バネとしての機能が低下するようになる。
【００３８】
このように、ランニングの際に足の疲労によって土踏まずのアーチ形状が変形することに着目し、土踏まずの変形前後の状態における空隙Ｓ及び土踏まず補強部材１２の働きについて、図２を用いて説明する。
【００３９】
先ず、ランニングを開始した直後にあっては、図２Ａに示すように、土踏まずは変形しておらず、そのアーチ形状が維持される。
【００４０】
このため、ミッドソール１１は土踏まず対応部１１ａにおいて踏み付け時の足圧を大きく受けることがないため、その変形は少ない。
【００４１】
その結果、ミッドソール１１は土踏まず補強部材１２に接触しないため、土踏まず補強部材１２とミッドソール１１との間に形成された空隙Ｓが維持される。
【００４２】
このように、アーチ形状が維持されている場合、本実施形態に係るランニングシューズ１においては、ミッドソール１１と土踏まず補強部材１２との間に空隙Ｓが形成されることにより、土踏まず対応部１１ａに踏み付け時の足圧がかかることでミッドソール１１が多少変形しても、土踏まず対応部１１ａがすぐに土踏まず補強部材１２に接触することはない。そのため、踏み付け時に土踏まずに加わる突き上げ力を抑えることができる。その結果、突き上げの繰り返しによる足の疲労を軽減し、土踏まずのバネ機能を十分に発揮させることが可能となる。
【００４３】
次いで、ランニングを長時間継続すると、図２Ｂに示すように、着地の度に繰り返しかかる負荷によって筋肉疲労が生じ、土踏まずは図２Ｂ中の破線で示す状態から実線で示す状態へ変形するため、アーチ形状が崩れることとなる。
【００４４】
そのため、ミッドソール１１は、この土踏まずの変形により土踏まず対応部１１ａにおいてインソール１３を介して踏み付け時の足圧を大きく受けるようになり、図２Ｂ中の破線で示す状態から実線で示す状態へ変形する。
【００４５】
その結果、土踏まず補強部材１２とミッドソール１１との間に形成された空隙Ｓが消滅することとなり、ミッドソール１１の土踏まず対応部１１ａはその外面側に設けられた土踏まず補強部材１２に接触するようになる。
【００４６】
その後、さらなる筋肉疲労によってアーチ形状が大きく崩れると、ミッドソール１１は、土踏まず対応部１１ａが土踏まず補強部材１２に接触した状態で、土踏まず対応部１１ａにおいて踏み付け時の足圧をさらに強く受けるようになる。
【００４７】
その結果、土踏まず対応部１１ａは、接触する土踏まず補強部材１２側へ向かってさらに大きく変形する。
【００４８】
そうすると、土踏まず補強部材１２は、接触する土踏まず対応部１１ａからさらに大きな力を受けて、弾性変形するようになる。
【００４９】
このため、土踏まず補強部材１２は、接触する土踏まず対応部１１ａを押し戻す方向に付勢するようになるため、変形後の土踏まずを持ち上げるように支えることが可能となる。
【００５０】
このように、長時間のランニングによってアーチ形状が崩れた場合、本実施形態に係るランニングシューズ１においては、土踏まず対応部１１ａに対向させて土踏まず補強部材１２を設けることにより、空隙Ｓが消滅しても、崩れたアーチ形状がそれ以上大きく変形しないように土踏まずを支えることができる。そのため、土踏まずのバネ機能が低下するのを抑制することが可能となる。
【００５１】
＜＜＜本実施の形態に係るランニングシューズ１の有効性について＞＞＞
上述したとおり、本実施形態に係るランニングシューズ１は、ミッドソール１１と、該ミッドソール１１の土踏まずに対応した土踏まず対応部１１ａの外面側に設けられた土踏まず補強部材１２と、を有するランニングシューズ１であって、土踏まず補強部材１２が、該土踏まず補強部材１２の一部の部位とミッドソール１１との間に空隙Ｓを備えるように、ミッドソール１１に固定されていることとした。そして、このことにより、踏み付け時の不快な突き上げ感を減らし、突き上げの繰り返しによる足の疲労を軽減することができる。
【００５２】
すなわち、上述したとおり、一般的に、人間の足裏の土踏まずはアーチ状に形成されているため、このアーチ形状がバネのように作用することで足への衝撃が緩和される。しかし、ランニングを継続するうちに、着地の度に繰り返しかかる負荷によってそのアーチ形状が徐々に崩れて行き、バネとしての機能が低下するようになる。その結果、足への衝撃が増加することによって、筋肉疲労を生じさせることとなる。
【００５３】
これに対して、本実施形態においては、土踏まず補強部材１２とミッドソール１１ａとの間に空隙Ｓを備えるように、当該土踏まず補強部材１２をミッドソール１１に固定するようにした。そのため、土踏まずのアーチ形状が維持されている場合には、踏み付け時の不快な突き上げ感を減らし、土踏まずに対しバネ機能を十分に発揮させることができる。また、本実施形態においては、ミッドソール１１の土踏まずに対応した部位に対向させて土踏まず補強部材１２を設けるようにした。そのため、長時間のランニングによってアーチ形状が崩れた場合には、空隙Ｓが消滅しても、崩れたアーチ形状がそれ以上大きく変形しないように土踏まずを支えることになり、バネとしての機能が低下するのを抑制することが可能となる。
【００５４】
また、本実施形態においては、土踏まず補強部材１２は、リブであり、該リブの高さＨは、該リブの幅Ｗよりも大きいこととした。そのため、捩じれ変形や曲げ変形に対する強度を高めることができる。
【００５５】
また、本実施形態においては、土踏まず補強部材１２は、リブとして、第一リブ１２ａと該第一リブ１２ａと交わるように設けられた第二リブ１２ｂとを備えることとした。そのため、第一リブ１２ａと第二リブ１２ｂが交わるようにすることで、捩じれ変形や前後方向及び幅方向の曲げ変形に対して高い強度を維持することができる。また、複数のリブを組み合わせて骨組みを形成し、土踏まず補強部材１２の構造を簡素化することで、軽量化を図ることができる。
【００５６】
さらに、本実施形態においては、土踏まず補強部材１２からミッドソール１１までの空隙Ｓの距離は、第一リブ１１ａと第二リブ１１ｂとが交わる交わり部１２ｘにおいて最大となっていることとした。そのため、ミッドソール１１が最も大きく変形する位置に合わせて交わり部１２ｘを設けるようにしたため、ミッドソール１１にかかる荷重を強固に支持することができる。
【００５７】
＝＝＝その他の実施の形態＝＝＝
上記の実施形態は、本発明の理解を容易にするためのものであり、本発明を限定して解釈するためのものではない。また、本発明は、その趣旨を逸脱することなく、変更、改良され得ると共に、本発明にはその等価物が含まれることはいうまでもない。特に、以下に述べる実施形態であっても、本発明に含まれるものである。
【００５８】
＜スポーツシューズ＞
上記の実施形態においては、本発明に係るスポーツシューズの一例としてランニングシューズ１を説明したが、これに限定されるものではない。  
たとえば、ウォーキングシューズ、日常のタウンユースのシューズ等や、テニス、バドミントン、ゴルフ等の各種スポーツ用のシューズにも適用することができる。
【００５９】
＜土踏まず補強部材１２＞
また、上記の実施形態においては、土踏まず補強部材１２のリブ構造の一例として、複数のリブをＸ字状に組み合わせた構造を例に挙げて説明したが、これに限定されるものではない。  
たとえば、複数のリブをＨ字状、Ｚ字状、十字状等に組み合わせた構造にしてもよい。また、複数のリブを組み合わせて２つ以上の交わり部を持つ構造にしてもよい。
【符号の説明】
【００６０】
１      ランニングシューズ
１０    アウターソール
１１    ミッドソール
１１ａ  土踏まず対応部
１２    土踏まず補強部材
１２ａ  第一リブ
１２ｂ  第二リブ
１２ｘ  交わり部
１３    インソール
Ｓ      空隙
【図１】
2012170743.tif 000003
【図２】
2012170743.tif 000004
【図３】
2012170743.tif 000005